【手続補正書】
【提出日】平成18年10月10日(2006.10.10)
【手続補正１】
【補正対象書類名】明細書
【補正対象項目名】全文
【補正方法】変更
【補正の内容】
【書類名】  明細書
【発明の名称】  電気掃除機
【特許請求の範囲】
【請求項１】  塵埃を捕集する集塵室と、電動送風機を配設した電動送風機室と、前記電動送風機の前方部に掃除機本体にて形成した通気部を備え、前記通気部に溝形状の消音部を１箇所または複数設けた電気掃除機。
【請求項２】  塵埃を捕集する集塵室と、電動送風機を配設した電動送風機室と、前記電動送風機の前方部に配設した通気部品を備え、前記通気部品に溝形状の消音部を１箇所または複数設けた電気掃除機。
【請求項３】  電動送風機の前方部に、フィルタ−を収納するフィルタ−押さえ部を配設し、前記フィルタ−押さえ部に溝形状の消音部を１箇所または複数設けた請求項１または２記載の電気掃除機。
【請求項４】  掃除機本体の前部に接続配置したホースユニット、延長管および吸込具を具備し、前記ホースユニット内部に溝形状の消音部を１箇所または複数設けた電気掃除機。
【請求項５】  掃除機本体の前部に接続配置したホースユニット、延長管および吸込具を具備し、前記延長管内部に溝形状の消音部を１箇所または複数設けた電気掃除機。
【請求項６】  掃除機本体の前部に接続配置したホースユニット、延長管および吸込具を具備し、前記吸込具の吸引流路内部に溝形状の消音部を１箇所または複数設けた電気掃除機。
【発明の詳細な説明】
【０００１】
【発明の属する技術分野】
本発明は、家庭にて使用される電気掃除機に関するもので、低騒音化に関するものである。
【０００２】
【従来の技術】
従来の電気掃除機を図１０、図１１を用いて説明する。１は掃除機本体であり、前方部に塵埃を捕集する集塵袋２を配設した集塵室３を、後方部に電動送風機４を配設した電動送風機室５を形成し、前記集塵室３と電動送風機室５の間に通気部６を形成している。前記電動送風機４の前方部には整流板７、フィルタ−８およびフィルタ−押さえ９を設けている。集塵室３の前方部には、ホース１０の端部に取りつけた接続パイプ１１が接続され、ホース１０の他端の先端パイプ１２には、延長管１３および吸込具１４が接続されている。
【０００３】
【発明が解決しようとする課題】
上記従来の構成では、電動送風機４の羽根枚数と毎秒回転数の積の倍数の周波数帯で脈動音（いわゆるｎＺ音、２ｎＺ音．．．）が、ホース１０、延長管１３および吸込具１４の吸引流路内を伝達し、電気掃除機の外部にもれ、騒音を低減させる際の大きな課題となっていた。
【０００４】
本発明は上記課題を解決するもので、簡易な構成で、低騒音化を実現した電気掃除機を提供することを目的とする。
【０００５】
【課題を解決するための手段】
上記目的を達成するため本発明は、塵埃を捕集する集塵室と、電動送風機を配設した電動送風機室と、前記電動送風機の前方部に掃除機本体にて形成した通気部を備え、前記通気部に溝形状の消音部を１箇所または複数設けた構成としたもので、これにより電動送風機から発生する脈動音等の特定の周波数の音を低減することができる。
【０００６】
【発明の実施の形態】
本発明の請求項１記載の発明は、塵埃を捕集する集塵室と、電動送風機を配設した電動送風機室と、前記電動送風機の前方部に掃除機本体にて形成した通気部を備え、前記通気部に溝形状の消音部を１箇所または複数設けた構成としたもので、電動送風機から発生した脈動音等の特定の周波数の音は、前記溝形状の消音部で位相が反転し、脈動を緩和し、音を低減することができるとともに、消音部の溝の深さを調整することにより、位相が反転する周波数を調整することが可能で、電動送風機から発生した脈動音等の特定の周波数の音を低減することができる。
【０００７】
本発明の請求項２記載の発明は、塵埃を捕集する集塵室と、電動送風機を配設した電動送風機室と、前記電動送風機の前方部に配設した通気部品を備え、前記通気部品に溝形状の消音部を１箇所または複数設けたもので、電動送風機から発生した脈動音等の特定の周波数の音は、前記溝形状の消音部で位相が反転し、脈動を緩和し、音を低減することができるとともに、消音部の溝の深さを調整することにより、位相が反転する周波数を調整することが可能で、電動送風機から発生した脈動音等の特定の周波数の音を低減することができる。
【０００８】
本発明の請求項３記載の発明は、請求項１または２記載の発明において、電動送風機の前方部に、フィルタ−を収納するフィルタ−押さえ部を配設し、前記フィルタ−押さえ部に溝形状の消音部を１箇所または複数設けたもので、電動送風機から発生した脈動音等の特定の周波数の音は、前記溝形状の消音部で位相が反転し、脈動を緩和し、音を低減することができるとともに、消音部の溝の深さを調整することにより、位相が反転する周波数を調整することが可能で、電動送風機から発生した脈動音等の特定の周波数の音を低減することができる。
【０００９】
本発明の請求項４記載の発明は、掃除機本体の前部に接続配置したホースユニット、延長管および吸込具を具備し、前記ホースユニット内部に溝形状の消音部を１箇所または複数設けたもので、電動送風機から発生した脈動音等の特定の周波数の音は、溝形状の消音部で位相が反転し、脈動を緩和し、音を低減することができるとともに、消音部の溝の深さを調整することにより、位相が反転する周波数を調整することが可能で、電動送風機から発生した脈動音等の特定の周波数の音を低減することができる。
【００１０】
本発明の請求項５記載の発明は、掃除機本体の前部に接続配置したホースユニット、延長管および吸込具を具備し、前記延長管内部に溝形状の消音部を１箇所または複数設けたもので、電動送風機から発生した脈動音等の特定の周波数の音は、前記溝形状の消音部で位相が反転し、脈動を緩和し、音を低減することができるとともに、消音部の溝の深さを調整することにより、位相が反転する周波数を調整することが可能で、電動送風機から発生した脈動音等の特定の周波数の音を低減することができる。
【００１１】
本発明の請求項６記載の発明は、掃除機本体の前部に接続配置したホースユニット、延長管および吸込具を具備し、前記吸込具の吸引流路内部に溝形状の消音部を１箇所または複数設けたもので、電動送風機から発生した脈動音等の特定の周波数の音は、前記溝形状の消音部で位相が反転し、脈動を緩和し、音を低減することができるとともに、消音部の溝の深さを調整することにより、位相が反転する周波数を調整することが可能で、電動送風機から発生した脈動音等の特定の周波数の音を低減することができる。
【００１２】
【実施例】
（実施例１）
以下本発明の第１の実施例を図１に基づいて説明する。なお、従来例と同一構成部品については、同一符号を付して、その説明は省略する。
【００１３】
図１において、２１は掃除機本体であり、前記掃除機本体２１は前方部に塵埃を捕集する集塵袋２２を配置した集塵室２３を、後方部に電動送風機２４を配設し形成した電動送風機室２５から構成され、前記集塵室２３と電動送風機室２５の間に前記掃除機本体２１から形成される通気部２６を設けている。前記集塵室２３の前部には、ホース１０の端部に取りつけた接続パイプ１１が接続されるとともに、前記ホース１０の他端の先端パイプ１２には、延長管１３および吸込具１４が接続されている。また、前記通気部２６内部には円形の溝状の消音部３５を設けている。なお、本実施例においては、前記消音部３５の溝形状を、円形としているが、溝形状が正方形、長方形あるいは楕円形状等であっても、同様の効果が得られるものである。
【００１４】
上記構成による動作は以下の通りである。
【００１５】
掃除機本体２１に通電すると、前記電動送風機２４は駆動し、ホース１０、延長管１３および吸込具１４の吸引流路内を通過する吸引風が発生し、被掃除面の塵埃は、集塵袋２２へと移送される。このとき、前記電動送風機２４にて発生した脈動音等の特定の周波数の音が、前記ホース１０、延長管１３および吸込具１４の吸引流路内を伝達し、電気掃除機の外部にもれるが、前記吸引風が通過する、掃除機本体２１にて形成された通気部２６内部に円形の溝状の消音部３５を設けたことで、騒音値の高い周波数の位相が反転し互いに打ち消し合い、脈動を緩和でき、音を低減することができる。
【００１６】
また同じ深さの溝状の消音部３５を前記通気部２６内部に複数設けることで、その効果は増大するし、消音部３５の溝の深さを調整することで異なった周波数の位相を反転させることも可能である。さらに、異なる溝の深さの消音部３５を前記通気部２６内部に複数設けることにより、複数の周波数の位相を反転させることも可能である。これにより、前記消音部３５が掃除機本体２１にて形成されていることで、部品点数を増やすことなく低コストで、前記電動送風機２４から発生する脈動音等の特定の周波数の音を低減することができるものである。
【００１７】
（実施例２）
以下本発明の第２の実施例を図２，３に基づいて説明する。なお、上記実施例と同一構成部品については同一符号を付して、その説明を省略する。
【００１８】
電動送風機２４の前方部に配設した通気部品である整流板２７内部に円形の溝状の消音部３６を設けている。なお、本実施例においても、前記消音部３６の溝形状を、円形としているが、溝形状が正方形、長方形あるいは楕円形状等であっても、同様の効果が得られるものである。
【００１９】
上記構成による動作は以下の通りである。掃除機本体２１に通電すると、前記電動送風機２４は駆動し、ホース１０、延長管１３および吸込具１４の吸引流路内を通過する吸引風が発生し、被掃除面の塵埃は、集塵袋２２へと移送される。このとき、前記電動送風機２４にて発生した脈動音等の特定の周波数の音が、前記ホース１０、延長管１３および吸込具１４の吸引流路内を伝達し、電気掃除機の外部にもれるが、前記吸引風が通過する電動送風機２４の前方部に配設した通気部品である整流板２７内部に、円形の溝状の消音部３６を設けたことで、騒音値の高い周波数の位相が反転し互いに打ち消し合い、脈動を緩和でき、音を低減することができる。
【００２０】
また同じ深さの溝状の消音部３６を、前記通路部品である整流板２７内部に複数設けることで、その効果は増大するし、消音部３６の溝の深さを調整することで異なった周波数の位相を反転させることも可能である。さらに、異なる溝の深さの消音部３６を前記整流板２７内部に複数設けることにより、複数の周波数の位相を反転させることも可能である。これにより、前記電動送風機２４から発生する脈動音等の特定の周波数の音を低減することができるものである。
【００２１】
（実施例３）
以下本発明の第３の実施例を図５に基づいて説明する。なお、上記実施例と同一構成部品については同一符号を付して、その説明を省略する。
【００２２】
電動送風機２４の前方部にはフィルタ−２８および前記フィルタ−２８を収納するフィルタ−押さえ２９を設けており、前記フィルタ−押さえ２９内部には円形の溝形状の消音部３７を設けている。なお、本実施例においても、前記消音部３７の溝形状を、円形としているが、溝形状が正方形、長方形あるいは楕円形状等であっても、同様の効果が得られるものである。
【００２３】
上記構成による動作は以下の通りである。掃除機本体２１に通電すると、前記電動送風機２４は駆動し、ホース１０、延長管１３および吸込具１４の吸引流路内を通過する吸引風が発生し、被掃除面の塵埃は、集塵袋２２へと移送される。このとき、前記電動送風機２４にて発生した脈動音等の特定の周波数の音が、前記ホース１０、延長管１３および吸込具１４の吸引流路内を伝達し、電気掃除機の外部にもれるが、前記吸引風が通過する電動送風機２４の前方部に配設したフィルタ−押さえ２９内部に、円形の溝状の消音部３７を設けたことで、騒音値の高い周波数の位相が反転し互いに打ち消し合い、脈動を緩和でき、音を低減することができる。
【００２４】
また同じ深さの溝状の消音部３７を、前記通路部品であるフィルタ−押さえ２９内部に複数設けることで、その効果は増大するし、消音部３の溝の深さを調整することで異なった周波数の位相を反転させることも可能である。さらに、異なる溝の深さの消音部３７を前記フィルタ−押さえ２９内部に複数設けることにより、複数の周波数の位相を反転させることも可能である。これにより、部品点数を増やすことなく低コストで、前記電動送風機２４から発生する脈動音等の特定の周波数の音を低減することができるものである。
【００２５】
（実施例４）
以下本発明の第４の実施例を図６，７に基づいて説明する。なお、上記実施例と同一構成部品については同一符号を付して、その説明を略する。
【００２６】
ホースユニット４１であるホース３０の端部に取りつけた接続パイプ３１の内部には、円形の溝状の消音部３８を設けている。なお、本実施例においては、前記消音部３８の溝形状を、円形としているが、溝形状が正方形、長方形あるいは楕円形状等であっても、さらに、前記消音部３８をホース３０の他端部品である先端パイプ３２に設けられていても同様の効果が得られるものである。
【００２７】
上記構成による動作は以下の通りである。掃除機本体２１に通電すると、電動送風機２４は駆動し、ホースユニット４１、延長管３３および吸込具３４の吸引流路内を通過する吸引風が発生し、被掃除面の塵埃は、集塵袋２２へと移送される。このとき、前記電動送風機２４にて発生した脈動音等の特定の周波数の音が、前記ホースユニット４１、延長管３３および吸込具３４の吸引流路内を伝達し、電気掃除機の外部にもれるが、前記吸引風の通過するホースユニット４１の１部品である接続パイプ３１内部に、円形の溝状の消音部３８を設けたことで、騒音値の高い周波数の位相が反転し互いに打ち消し合い、脈動を緩和でき、音を低減することができる。
【００２８】
また同じ深さの溝状の消音部３８を、前記接続パイプ３１内部に複数設けることで、その効果は増大するし、消音部３８の溝の深さを調整することで異なった周波数の位相を反転させることも可能である。さらに、異なる溝の深さの消音部３８を前記接続パイプ３１内部に複数設けることにより、複数の周波数の位相を反転させることも可能である。これにより、部品点数を増やすことなく低コストで、前記電動送風機２４から発生する脈動音等の特定の周波数の音を低減することができるものである。
【００２９】
（実施例５）
以下本発明の第５の実施例を図８に基づいて説明する。なお、上記実施例と同一構成部品については同一符号を付して、その説明を略する。
【００３０】
延長管３３の内部には、円形の溝状の消音部３９を設けている。なお、本実施例においても、前記消音部３９の溝形状を、円形としているが、溝形状が正方形、長方形あるいは楕円形状等であっても、同様の効果が得られるものである。
【００３１】
上記構成による動作は以下の通りである。掃除機本体２１に通電すると、電動送風機２４は駆動し、ホースユニット４１、延長管３３および吸込具３４の吸引流路内を通過する吸引風が発生し、被掃除面の塵埃は、集塵袋２２へと移送される。このとき、前記電動送風機２４にて発生した脈動音等の特定の周波数の音が、前記ホースユニット４１、延長管３３および吸込具３４の吸引流路内を伝達し、電気掃除機の外部にもれるが、前記吸引風が通過する延長管３３内部に、円形の溝状の消音部３９を設けたことで、騒音値の高い周波数の位相が反転し互いに打ち消し合い、脈動を緩和でき、音を低減することができる。
【００３２】
また同じ深さの溝状の消音部３９を、前記延長管３３内部に複数設けることで、その効果は増大するし、消音部３９の溝の深さを調整することで異なった周波数の位相を反転させることも可能である。さらに、異なる溝の深さの消音部３８を前記延長管３３内部に複数設けることにより、複数の周波数の位相を反転させることも可能である。これにより、部品点数を増やすことなく低コストで、前記電動送風機２４から発生する脈動音等の特定の周波数の音を低減することができるものである。
【００３３】
（実施例６）
以下本発明の第６の実施例を図９に基づいて説明する。なお、上記実施例と同一構成部品については同一符号を付して、その説明を略する。
【００３４】
吸込具３４の吸引流路４２に、円形の溝状の消音部４０を設けている。なお、本実施例においても、前記消音部４０の溝形状を、円形としているが、溝形状が正方形、長方形あるいは楕円形状等であっても、同様の効果が得られるものである。
【００３５】
上記構成による動作は以下の通りである。掃除機本体２１に通電すると、電動送風機２４は駆動し、ホースユニット４１、延長管３３および吸込具３４の吸引流路内を通過する吸引風が発生し、被掃除面の塵埃は、集塵袋２２へと移送される。このとき、前記電動送風機２４にて発生した脈動音等の特定の周波数の音が、前記ホースユニット４１、延長管３３および吸込具３４の吸引流路内を伝達し、電気掃除機の外部にもれるが、吸込具３４の吸引流路４２内部に、円形の溝状の消音部４０を設けたことで、騒音値の高い位相が反転し互いに打ち消し合い、脈動を緩和でき、音を低減することができる。
【００３６】
また、同じ深さの溝状の消音部４０を、前記吸込具３４の吸引流路４２内部に複数設けることで、その効果は増大するし、消音部３９の溝の深さを調整することで異なった周波数の位相を反転させることも可能である。さらに、異なる溝の深さの消音部４０を前記吸込具３４の吸引流路４２内部に複数設けることにより、複数の周波数の位相を反転させることも可能である。これにより、部品点数を増やすことなく低コストで、前記電動送風機２４から発生する脈動音等の特定の周波数の音を低減することができるものである。
【００３７】
【発明の効果】
以上のように、本発明の請求項１記載の発明によれば、塵埃を捕集する集塵室と、電動送風機を配設した電動送風機室と、前記電動送風機の前方部に掃除機本体にて構成した通気部を備え、前記通気部に溝形状の消音部を１箇所または複数設けた構成としたもので、前記構成により電動送風機から発生した脈動音等の特定の周波数の音を低減することができる。
【００３８】
また、本発明の請求項２記載の発明によれば、塵埃を捕集する集塵室と、電動送風機を配設した電動送風機室と、前記電動送風機の前方部に配設した通気部品を備え、前記通気部品に溝形状の消音部を１箇所または複数設けたもので、前記構成により電動送風機から発生した脈動音等の特定の周波数の音を低減することができる。
【００３９】
また、本発明の請求項３記載の発明によれば、請求項１または２記載の発明において、電動送風機の前方部に、フィルタ−を収納するフィルタ−押さえ部を配設し、前記フィルタ−押さえ部に溝形状の消音部を１箇所または複数設けたもので、前記構成により電動送風機から発生した脈動音等の特定の周波数の音を低減することができる。
【００４０】
また、本発明の請求項４記載の発明によれば、掃除機本体の前部に接続配置したホースユニット、延長管および吸込具を具備し、前記ホースユニット内部に溝形状の消音部を１箇所または複数設けたもので、前記構成により電動送風機から発生した脈動音等の特定の周波数の音を低減することができる。
【００４１】
また、本発明の請求項５記載の発明によれば、掃除機本体の前部に接続配置したホースユニット、延長管および吸込具を具備し、前記延長管内部に溝形状の消音部を１箇所または複数設けたもので、前記構成により電動送風機から発生した脈動音等の特定の周波数の音を低減することができる。
【００４２】
また、本発明の請求項６記載の発明によれば、掃除機本体の前部に接続配置したホースユニット、延長管および吸込具を具備し、前記吸込具の吸引流路内部に溝形状の消音部を１箇所または複数設けたもので、前記構成により電動送風機から発生した脈動音等の特定の周波数の音を低減することができる。
【図面の簡単な説明】
【図１】
本発明の第１の実施例を示す電気掃除機の断面図
【図２】
本発明の第２の実施例を示す電気掃除機の断面図
【図３】
同電気掃除機の通気部品の断面図
【図４】
本発明の第３の実施例を示す電気掃除機の断面図
【図５】
同電気掃除機のフィルター押さえの断面図
【図６】
本発明の第４の実施例を示す電気掃除機の全体図
【図７】
同電気掃除機のホースユニットの部品断面図
【図８】
本発明の第５の実施例を示す電気掃除機の延長管の部品断面図
【図９】
本発明の第６の実施例を示す電気掃除機の吸込具の部品断面図
【図１０】
従来例を示す電気掃除機の全体図
【図１１】
同電気掃除機の断面図
【符号の説明】
２４  電動送風機
２６  通気部
２７  整流板
２９  フィルタ−押さえ
３５  消音部